(57)【要約】【課題】複数部数の印刷にあたり、手間が削減された画像処理装置および画像処理プログラムを提供する。【解決手段】部数取得部５＿１１１で取得した、複数の印刷部数を表わす印刷部数情報に対応する印刷に関し、データ出力部５＿１１３から、その印刷部数情報により表わされる印刷部数よりも少ない所定部数のみ印刷するラスタイメージデータを出力させるとともにそのラスタイメージデータをデータ記憶部５＿１１４に記憶させておき、続行指示取得部５＿１１５による続行指示情報の取得を受けて、データ出力部５＿１１３から、ラスタイメージデータを、残りの部数印刷することを指定して出力させる印刷シーケンス制御部５＿１１６を備えた。【選択図】　　　　図４
2004054813.tif 000002
【特許請求の範囲】
【請求項１】
印刷用画像データを取得する印刷用画像データ取得部と、
前記印刷用画像データを出力するデータ出力部と、
前記印刷用画像データを記憶するデータ記憶部と、
印刷部数情報を取得する部数取得部と、
前記部数取得部で複数部の印刷部数を表わす印刷部数情報を取得した場合における該印刷部数情報に対応する印刷に関し印刷の続行を指示する続行指示情報を取得する続行指示取得部と、
前記部数取得部で取得した、複数部の印刷部数を表わす印刷部数情報に対応する印刷に関し、前記データ出力部から、該印刷部数情報により表わされる印刷部数よりも少ない所定部数のみを印刷する印刷用画像データを出力させるとともに該印刷用画像データを前記データ記憶部に記憶させておき、前記続行指示取得部による、該印刷に関する続行指示情報の取得を受けて、前記データ出力部から、残りの部数印刷する印刷用画像データを出力させる印刷シーケンス制御部とを備えたことを特徴とする画像処理装置。
【請求項２】
プログラムを実行する情報処理装置内で実行され、該情報処理装置を、
印刷用画像データを取得する印刷用画像データ取得部と、
前記印刷用画像データを出力するデータ出力部と、
前記印刷用画像データを記憶するデータ記憶部と、
印刷部数情報を取得する部数取得部と、
前記部数取得部で複数部の印刷部数を表わす印刷部数情報を取得した場合における該印刷部数情報に対応する印刷に関し印刷の続行を指示する続行指示情報を取得する続行指示取得部と、
前記部数取得部で取得した、複数部の印刷部数を表わす印刷部数情報に対応する印刷に関し、前記データ出力部から、該印刷部数情報により表わされる印刷部数よりも少ない所定部数のみを印刷する印刷用画像データを出力させるとともに該印刷用画像データを前記データ記憶部に記憶させておき、前記続行指示取得部による、該印刷に関する続行指示情報の取得を受けて、前記データ出力部から、残りの部数印刷する印刷用画像データを出力させる印刷シーケンス制御部とを備えた画像処理装置として動作させることを特徴とする画像処理プログラム。
【発明の詳細な説明】
【０００１】
【発明の属する技術分野】
本発明は、印刷用画像データを取得して出力する画像処理装置、および情報処理装置にローディングされてその情報処理装置を上記画像処理装置として動作させるための画像処理プログラムに関する。
【０００２】
【従来の技術】
従来より、印刷業界ではパーソナルコンピュータ等を使って文書の編集や印刷を行なうＤＴＰ（Ｄｅｓｋ　Ｔｏｐ　Ｐｕｂｌｉｓｈｉｎｇ）システムが広く用いられている。このＤＴＰシステムでは、パーソナルコンピュータ等の編集用ワークステーション上で編集用ソフトウェア（編集用アプリケーション）を用いて、画像を表わす絵柄，テキスト，線画等のレイアウトを決める編集作業をページ記述言語（ＰＤＬ：Ｐａｇｅ　Ｄｅｓｃｒｉｐｔｉｏｎ　Ｌａｎｇｕａｇｅ）を使用して行ない、その結果をＰＳ（Ｐｏｓｔ　Ｓｃｒｉｐｔ）データやＰＤＦ（Ｐｏｒｔａｂｌｅ　Ｄｏｃｕｍｅｎｔ　Ｆｏｒｍａｔ）データで出力する。出力されたＰＳデータやＰＤＦデータは、それらのデータを印刷用のラスタイメージデータに変換する画像処理装置に入力される。この画像処理装置からは印刷用のラスタイメージデータがプリンタに向けて出力される。プリンタは、ラスタイメージデータからなる画像（網点画像）を、指定された印刷用紙に印刷する。プリンタとしては、必要な時に必要な情報を即座に印刷することができる、いわゆるオンデマンド印刷用プリンタ等が用いられる。
【０００３】
ここで、複数の部数の印刷物を作成する場合、先ず１部のみ印刷してその内容を確認した後に、残りの部数を印刷するという作業手順が一般に行なわれている。残りの部数を印刷するにあたり、全体の部数から１部の部数を引き算して残りの部数を求め、編集用ワークステーションの編集用アプリケーション上で上記１部の印刷部数に替えて残りの印刷部数に指定し直す必要がある。また、編集用ワークステーションから上記画像処理装置に向けてＰＳデータやＰＤＦデータの転送が再度行なわれ、それらのデータがラスタイメージデータに変換されるため、処理に時間がかかる。
【０００４】
近年、印刷部数やラスタイメージデータ等をジョブとして格納することによりシステム全体の処理効率を高めるスプール機能を備えた画像処理装置が提案されている。この画像処理装置では、複数の印刷部数の印刷にあたり、その画像処理装置に付随するＧＵＩ（Ｇｒａｐｈｉｃａｌ　Ｕｓｅｒ　Ｉｎｔｅｒｆａｃｅ）による画面上で、スプール機能により格納されたジョブを選択し、選択されたジョブが有する印刷部数の箇所に残りの部数を設定して再出力を行なうことが可能である。このため、編集アプリケーション上で残りの部数に変更してＰＳデータやＰＤＦデータを画像処理装置に出力したりその画像処理装置でラスタイメージデータに変換する必要なく、プリンタの露光開始までの時間等が短くなるという利点がある。
【０００５】
【発明が解決しようとする課題】
しかし、上記画像処理装置では、残りの部数の指定にあたり、ＧＵＩによる画面上で所望のジョブを選択した後、出力条件変更画面を開いて残りの印刷部数に設定し直すという操作上の手間が発生する。
【０００６】
本発明は、上記事情に鑑み、複数部数の印刷にあたり、手間が削減された画像処理装置および画像処理プログラムを提供することを目的とする。
【０００７】
【課題を解決するための手段】
上記目的を達成する本発明の画像処理装置は、
印刷用画像データを取得する印刷用画像データ取得部と、
上記印刷用画像データを出力するデータ出力部と、
上記印刷用画像データを記憶するデータ記憶部と、
印刷部数情報を取得する部数取得部と、
上記部数取得部で複数部の印刷部数を表わす印刷部数情報を取得した場合におけるその印刷部数情報に対応する印刷に関し印刷の続行を指示する続行指示情報を取得する続行指示取得部と、
上記部数取得部で取得した、複数部の印刷部数を表わす印刷部数情報に対応する印刷に関し、上記データ出力部から、その印刷部数情報により表わされる印刷部数よりも少ない所定部数のみを印刷する印刷用画像データを出力させるとともにその印刷用画像データを上記データ記憶部に記憶させておき、上記続行指示取得部による、その印刷に関する続行指示情報の取得を受けて、上記データ出力部から、残りの部数印刷する印刷用画像データを出力させる印刷シーケンス制御部とを備えたことを特徴とする。
【０００８】
ここで、上記所定部数は、予め決められた部数でもよく、あるいはユーザが指定できるものであってもよい。
【０００９】
また、本発明にいう印刷用画像データとは、印刷装置が出力可能な形式のデータをいい、例えばラスタイメージデータに対応した印刷装置に向けて出力する場合には、ラスタイメージデータが印刷用画像データである。
【００１０】
印刷用画像データは、一般の画像データ（ページ記述データ、連続階調データ、テキストデータ、図形データ等）から生成することにより取得してもよく、外部から受信することで取得してもよく、あるいは、データ記憶部に記憶されているものを読み出すことにより取得してもよい。
【００１１】
本発明の画像処理装置は、複数部の印刷部数を表わす印刷部数情報に対応する印刷に関し、その印刷部数情報により表わされる印刷部数よりも少ない所定部数のみ印刷する印刷用画像データを出力させるとともにその印刷用画像データをデータ記憶部に記憶させておき、その印刷に関する続行指示情報の取得を受けて、残りの部数印刷する印刷用画像データを出力させるものであるため、複数部数の印刷にあたり、例えば、確認用の１部を印刷した時点でその印刷に関するジョブを一時停止状態にしておき、確認終了後に続行指示することにより残りの部数の印刷を行なうことができる。従って、従来の、画面上で所望のジョブを選択した後に出力条件変更画面を開いて残りの印刷部数に指定し直す画像処理装置と比較し、操作上の手間が削減される。
【００１２】
また、上記目的を達成する本発明の画像処理プログラムは、プログラムを実行する情報処理装置内で実行され、その情報処理装置を、
印刷用画像データを取得する印刷用画像データ取得部と、
上記印刷用画像データを出力するデータ出力部と、
上記印刷用画像データを記憶するデータ記憶部と、
印刷部数情報を取得する部数取得部と、
上記部数取得部で複数部の印刷部数を表わす印刷部数情報を取得した場合におけるその印刷部数情報に対応する印刷に関し印刷の続行を指示する続行指示情報を取得する続行指示取得部と、
上記部数取得部で取得した、複数部の印刷部数を表わす印刷部数情報に対応する印刷に関し、上記データ出力部から、その印刷部数情報により表わされる印刷部数よりも少ない所定部数のみを印刷する印刷用画像データを出力させるとともにその印刷用画像データを上記データ記憶部に記憶させておき、上記続行指示取得部による、その印刷に関する続行指示情報の取得を受けて、上記データ出力部から、残りの部数印刷する印刷用画像データを出力させる印刷シーケンス制御部とを備えた画像処理装置として動作させることを特徴とする。
【００１３】
本発明の画像処理プログラムは、プログラムを実行する情報処理装置内で実行され、その情報処理装置を、上記本発明の画像処理装置として動作させるものであるため、複数部数の印刷にあたり、操作上の手間が削減される。
【００１４】
【発明の実施の形態】
以下、本発明の実施形態について説明する。
【００１５】
図１は、本発明の画像処理装置の一実施形態が組み込まれたシステムを示す図である。
【００１６】
図１には、編集用ワークステーション１０１，１０２，１０３と、情報処理装置１０と、プリンタ２００とが示されている。
【００１７】
編集用ワークステーション１０１，１０２，１０３は、編集用アプリケーションを用いて、画像を表わす絵柄，テキスト，線画等のレイアウトを決める編集作業をページ記述言語（ＰＤＬ：Ｐａｇｅ　Ｄｅｓｃｒｉｐｔｉｏｎ　Ｌａｎｇｕａｇｅ）を使用して行ない、その結果をＰＳ（Ｐｏｓｔ　Ｓｃｒｉｐｔ）データやＰＤＦ（Ｐｏｒｔａｂｌｅ　Ｄｏｃｕｍｅｎｔ　Ｆｏｒｍａｔ）データで情報処理装置１０に出力する。
【００１８】
情報処理装置１０には、本発明の画像処理装置の一実施形態が組み込まれており、この情報処理装置１０に組み込まれた画像処理装置は、詳細は後述するが、上記ＰＳデータやＰＤＦデータから生成することによりラスタイメージデータ（本発明にいう印刷用画像データの一例）を取得してプリンタ２００に出力する。
【００１９】
プリンタ２００は、ラスタイメージデータからなる画像を印刷用紙に印刷する。
【００２０】
図２は、図１に示す情報処理装置のハードウェア構成図である。
【００２１】
この情報処理装置１０は、各種プログラムを実行するＣＰＵ１、ハードディスク装置３に格納されたプログラムが読み出されＣＰＵ１での実行のために展開される主メモリ２、各種プログラムやデータ等が保存されたハードディスク装置３、フレキシブルディスク４＿１が装填され、その装填されたフレキシブルディスク４＿１をアクセスするフレキシブルディスクドライブ４、ＣＤ−ＲＯＭ５＿１をアクセスするＣＤ−ＲＯＭドライブ５、図１に示す編集用ワークステーション１０１，１０２，１０３と接続され、それら編集用ワークステーション１０１，１０２，１０３からのＰＳ／ＰＤＦデータを受け取る入力インタフェース６、プリンタ２００と接続され、そのプリンタ２００にラスタイメージデータを送る出力インタフェース７が内蔵されており、これらの各種要素は、バス１５を介して相互に接続されている。
【００２２】
ここで、ＣＤ−ＲＯＭ５＿１には、この情報処理装置１０を本発明の画像処理装置の一実施形態として動作させるための画像処理プログラムが記憶されており、そのＣＤ−ＲＯＭ５＿１はＣＤ−ＲＯＭドライブ５に装填され、そのＣＤ−ＲＯＭ５＿１に記憶された画像処理プログラムがこの情報処理装置１０にアップロードされてハードディスク装置３に記憶される。このハードディスク装置３に記憶された画像処理プログラムがこの情報処理装置１０内で実行されると、この情報処理装置１０が本発明の画像処理装置の一実施形態として動作する。
【００２３】
ここで、情報処理装置１０内で実行される、画像処理プログラム（本発明の画像処理プログラムの一実施形態に相当）について説明する。
【００２４】
図３は、本発明の画像処理プログラムの一実施形態が記憶されたＣＤ−ＲＯＭを示す概念図である。
【００２５】
図３に示すＣＤ−ＲＯＭ５＿１には、画像処理プログラム５＿１０が記憶されており、この画像処理プログラム５＿１０は、部数取得処理ルーチン部５＿１１、ラスタライズ処理ルーチン部５＿１２、データ出力取得処理ルーチン部５＿１３、データ記憶処理ルーチン部５＿１４、続行指示取得処理ルーチン部５＿１５、および印刷シーケンス制御処理ルーチン部５＿１６で構成されている。画像処理プログラム５＿１０の各部の細部については、本発明の画像処理装置の一実施形態の各部の作用とあわせて説明する。
【００２６】
図４は、本発明の画像処理装置の一実施形態の構成を示す図である。
【００２７】
図４に示す画像処理装置１０には、部数取得部５＿１１１と、ラスタライズ部５＿１１２（本発明にいう印刷用画像データ取得部に相当）と、データ出力部５＿１１３と、データ記憶部５＿１１４と、続行指示取得部５＿１１５と、印刷シーケンス制御部５＿１１６とが備えられている。
【００２８】
部数取得部５＿１１１は、図３に示す部数取得処理ルーチン部５＿１１のプログラムの作用を受けて動作し、編集用ワークステーション１０１，１０２，１０３から印刷部数情報を取得する。
【００２９】
ラスタライス部５＿１１２は、図３に示すラスタライズ処理ルーチン部５＿１２のプログラムの作用を受けて動作し、編集用ワークステーション１０１，１０２，１０３からのページ記述データ（ＰＳ／ＰＤＦデータ）をラスタライズすることによりラスタイメージデータを取得する。
【００３０】
データ出力部５＿１１３は、図３に示すデータ出力処理ルーチン部５＿１３のプログラムの作用を受けて動作し、ラスタライズ部５＿１１２で取得されたラスタイメージデータをプリンタ２００に向けて出力する。
【００３１】
データ記憶部５＿１１４は、図３に示すデータ記憶処理ルーチン部５＿１４のプログラムの作用を受けて動作し、ラスタライズ部５＿１１２で取得されたラスタイメージデータを記憶する。
【００３２】
続行指示取得部５＿１１５は、図３に示す続行指示取得処理ルーチン部５＿１５のプログラムの作用を受けて動作し、部数取得部５＿１１１で複数部の印刷部数を表わす印刷部数情報を取得した場合におけるその印刷部数情報に対応する印刷に関し印刷の続行を指示する続行指示情報を取得する。続行指示情報の取得については後述する。
【００３３】
印刷シーケンス制御部５＿１１６は、図３に示す印刷シーケンス制御処理ルーチン部５＿１６のプログラムの作用を受けて動作し、部数取得部５＿１１１で取得した、複数部の印刷部数を表わす印刷部数情報に対応する印刷に関し、データ出力部５＿１１３から、その印刷部数情報により表わされる印刷部数よりも少ない所定部数（ここでは部数１部）のみ印刷するラスタイメージデータを出力させるとともにそのラスタイメージデータをデータ記憶部５＿１１４に記憶させておき、続行指示取得部５＿１１５による、その印刷に関する続行指示情報の取得を受けて、データ出力部５＿１１３から、ラスタイメージデータを、残りの部数印刷することを指定して出力させる。
【００３４】
図５は、画像処理プログラム５＿１０を情報処理装置１０にインストールし、その情報処理装置１０を本発明の画像処理装置の一実施形態として動作させるときの画像処理装置５０におけるデータの流れを示す図である。
【００３５】
図５に示す画像処理装置５０には、図１に示す編集用ワークステーション１０１，１０２，１０３からの、ファイルＡを構成するページ記述データ（ＰＳデータやＰＤＦデータ）が入力され、ＰＳデータは、それぞれファイルＣとして保存される。これらのファイルＢ，Ｃは、図４に示すラスタライズ部５＿１１２を構成するＲＩＰ（Ｒａｓｔｅｒ　Ｉｍａｇｅ　Ｐｒｏｃｅｓｓｏｒ）で直接ラスタライズされたり、あるいはファイルＢのデータはＰＤＦ加工部でＰＤＦデータに変換されてファイルＤが生成される。さらに、ファイルＣ，Ｄのデータ（ＰＤＦデータ）は、ＣＭＳ（Ｃｏｌｏｒ　Ｍａｎａｇｅｍｅｎｔ　Ｓｙｓｔｅｍ）でＩＣＣプロファイルＧに基づいて色変換処理され、次いでプリンタ２００で印刷される印刷用紙上における各色の位置ズレを目立たなくさせるためのオブジェクトの太らせ処理，細らせ処理等のトラップ処理が行なわれ、さらにフォントデータをＰＤＦデータに埋め込むフォント埋込処理が行なわれる。次に、調整パラメータＨに基づく調整を行なう。例えば、調整パラメータＨとして記憶された用紙の種類／寸法データに応じた補正量だけＰＤＦデータ上で補正することにより調整する。さらに、エラーチェックを行なって最終的に加工済みのＰＤＦファイルＥを得たり、ファイルＦとして外部に出力したりする。本実施形態では、このようにフォント埋込処理が施されたＰＤＦファイルＥを得るものであるため、このＰＤＦファイルＥを外部装置で使用するにあたり、その外部装置に上記フォントが組み込まれていない場合であっても、その外部装置にインストールされているＰＤＦアプリケーションでプレビュー（表示），エディット（編集），トラップ指定が可能である。さらに、ＰＤＦファイルＥは、ＲＩＰでラスタライズされてプリンタ２００に出力される。
【００３６】
次に、本実施形態の画像処理装置５０の、複数部数の印刷における操作手順について、図６を参照して説明する。
【００３７】
図６は、図２に示す画像表示装置に表示されたジョブキュー画面の一例を示す図である。
【００３８】
情報処理装置１０は、前述したように、本実施形態の画像処理装置５０として動作するものであり、この情報処理装置１０には、ＧＵＩ（ＧｒａｐｈｉｃａｌＵｓｅｒ　Ｉｎｔｅｒｆａｃｅ）が備えられており、このＧＵＩにより画像表示装置１２に、図６に示すジョブキュー画面（ジョブキューウィンドウ）１２０が表示される。このジョブキュー画面１２０は、ジョブを取り扱うための複数の機能を表わす複数の絵柄が表示される絵柄操作部１２１と、印刷の順番待ちのジョブリストが表示されるリスト部１２２を有する。リスト部１２２は、ジョブの認識番号（ＩＤ番号）が表示されるＩＤ部と、ジョブ名が表示されるジョブ名称部と、ジョブの状態が表示される状態部と、印刷部数が表示される部数部等とを有する。尚、画像表示装置１２の、ＧＵＩにより表示される画面と同じ画面は、図１に示す編集用ワークステーション１０１，１０２，１０３においても表示することができる。また、編集アプリケーションからのＰＳデータやＰＤＦデータはスプール機能によりジョブキューされて順次記憶される。また、ＰＳデータやＰＤＦデータが変換されたラスタイメージデータもジョブと関連付けて記憶される。
【００３９】
図６に示すジョブキュー画面１２０には、編集用ワークステーション１０１，１０２，１０３からの５つのジョブからなるジョブリスト１２２＿１が表示されている。ここでは、リスト部１２２のうちの上から３番目のジョブリスト１２２＿１（ＩＤ番号１１）について説明する。３番目のジョブリスト１２２＿１の状態は停止状態にあり、また部数部には１／３０と表示されている。即ち、ある編集用ワークステーションから情報処理装置１０に向けて３０部の印刷を行なう旨の指示が出力され、その情報処理装置１０からラスタイメージデータがプリンタ２００に向けて出力されて１部のみ印刷された状態にある。操作者は、１部のみ印刷された印刷物の内容を確認し、校正が不要な場合はそのままキーボード１３やマウス１４を使用して３番目のジョブリスト１２２＿１を選択し、また校正が必要な場合は校正完了後にキーボード１３やマウス１４を使用して３番目のジョブリスト１２２＿１を選択し、次いで絵柄操作部１２１のうちの手の絵柄１２１＿１を選択する。すると、続行指示情報が取得されて、本実施形態の画像処理装置５０として動作する情報処理装置１０からプリンタ２００に向けて、ラスタイメージデータが出力されて残りの２９部が印刷される。例えば、ページ順に揃えて印刷する（ソートして印刷する）場合は、２９部の印刷物全てのページについてラスタイメージデータが出力される。また、ページ毎にまとめて印刷する（スタックして印刷する）場合は、同じページ番号については１つのラスタイメージデータが出力される。ここで、ラスタイメージデータは情報処理装置１０に記憶されているため、編集用ワークステーションからのＰＳデータやＰＤＦデータをラスタイメージデータに変換する必要はなく、従って処理時間が短くて済む。
【００４０】
尚、ジョブの指定や続行するための指定は、情報処理装置１０で指定されるのではなく、編集用ワークステーション１０１，１０２，１０３から入力されるものであってもよい。
【００４１】
尚、図６のように複数のジョブをスプールする場合、あるジョブの先行１部の出力が終わって停止状態になったとき、そのジョブの残り部数の出力が完了しなくても、次のジョブの処理は実行可能である。
【００４２】
【発明の効果】
以上説明したように、本発明によれば、複数部数の印刷にあたり、手間が削減された画像処理装置および画像処理プログラムを提供することができる。
【図面の簡単な説明】
【図１】本発明の画像処理装置の一実施形態が組み込まれたシステムを示す図である。
【図２】図１に示す情報処理装置のハードウェア構成図である。
【図３】本発明の画像処理プログラムの一実施形態が記憶されたＣＤ−ＲＯＭを示す概念図である。
【図４】本発明の画像処理装置の一実施形態の構成を示す図である。
【図５】本発明の画像処理装置の一実施形態におけるデータの流れを示す図である。
【図６】図２に示す画像表示装置に表示されたジョブキュー画面の一例を示す図である。
【符号の説明】
１　ＣＰＵ
２　主メモリ
３　ハードディスク装置
４　フレキシブルディスクドライブ
４＿１　フレキシブルディスク
５　ＣＤ−ＲＯＭドライブ
５＿１　ＣＤ−ＲＯＭ
５＿１０　画像処理プログラム
５＿１１　部数取得処理ルーチン部
５＿１２　ラスタライズ処理ルーチン部
５＿１３　データ出力取得処理ルーチン部
５＿１４　データ記憶処理ルーチン部
５＿１５　続行指示取得処理ルーチン部
５＿１６　印刷シーケンス制御処理ルーチン部
５＿１１１　部数取得部
５＿１１２　ラスタライズ部
５＿１１３　データ出力部
５＿１１４　データ記憶部
５＿１１５　続行指示取得部
５＿１１６　印刷シーケンス制御部
６　入力インターフェース
７　出力インタフェース
１０　情報処理装置
１２　画像表示装置
１３　キーボード
１４　マウス
１５　バス
５０　画像処理装置
１０１，１０２，１０３　編集用ワークステーション
１２０　ジョブキュー画面
１２１　絵柄操作部
１２１＿１　絵柄
１２２　リスト部
１２２＿１　ジョブリスト
２００　プリンタ
【図１】
2004054813.tif 000003
【図２】
2004054813.tif 000004
【図３】
2004054813.tif 000005
【図４】
2004054813.tif 000006
【図５】
2004054813.tif 000007
【図６】
2004054813.tif 000008